(57)【要約】      （修正有）【課題】音圧及び低周波数帯域の出力が向上し、接着材無しで組み立てることができる音響機器を提供する。【解決手段】音響機器は、音響機器の外観を構成するハウジング２００と、磁気力を発生させるマグネット２３０と、磁気力を集中させるヨーク２２０と、音響情報を有する電気信号が印加され磁気力によって振動するボイスコイル２７０と、ボイスコイル２７０に密着しボイスコイル２７０の振動によって振動して音を発生させる振動板２６０と、振動板２６０とマグネット２３０との間に位置するプレート２４０と、プレート２４０の上側に位置し振動板２６０の一部を固定させる固定リング２５０と、を含む。固定リング２５０の断面は幅より高さが大きい直四角形である。【選択図】図２
2019134411.tif 000002
【特許請求の範囲】
【請求項１】
音響機器の外観を構成するハウジングと、
磁気力を発生させるマグネットと、
前記磁気力を集中させる常磁性体を含むヨークと、
音響情報を有する電気信号が印加されれば前記磁気力によって振動するボイスコイルと、
前記ボイスコイルに密着しており、前記ボイスコイルの振動によって振動して音を発生させる振動板と、
前記振動板と前記マグネットの間に位置するプレートと、
前記プレートの上側に位置して前記振動板の一部を固定させる固定リングとを含み、
前記固定リングの断面は幅より高さが大きい直四角形であることを特徴とする、音響機器。
【請求項２】
前記振動板の一部が前記固定リングに密着することを特徴とする、請求項１に記載の音響機器。
【請求項３】
前記振動板の一部が固定リングの上端面の全部及び前記固定リングの内側面の一部に密着することを特徴とする、請求項２に記載の音響機器。
【請求項４】
前記振動板の一部が前記固定リングの上端面と前記ハウジングの間に挟まって固定されることを特徴とする、請求項２に記載の音響機器。
【請求項５】
前記振動板の一部が前記固定リングの内側面に接着されて固定されることを特徴とする、請求項２に記載の音響機器。
【請求項６】
前記ボイスコイルは前記マグネットの内側に配置されることを特徴とする、請求項１に記載の音響機器。
【請求項７】
前記ボイスコイルは前記マグネットの外側に配置されることを特徴とする、請求項１に記載の音響機器。
【請求項８】
前記ハウジングは、末端がカーリングされることによって前記振動板、前記固定リング、前記プレート、前記マグネット及び前記ヨークを押圧して固定させることを特徴とする、請求項１に記載の音響機器。
【請求項９】
前記マグネットと前記ハウジングの間に又は前記ヨークと前記ハウジングの間に追加空間が形成されることを特徴とする、請求項１に記載の音響機器。
【請求項１０】
前記プレートに前記追加空間に通じる通路が形成されることを特徴とする、請求項９に記載の音響機器。
【発明の詳細な説明】
【技術分野】
【０００１】
本発明は音響性能が向上した音響機器に関する。具体的に、本発明は振動部の面積を増やして音圧を向上させ、カーリング工法で接着剤なしに組み立てることができ、内部体積を増加させて低周波数帯域の出力を向上させた音響機器に関する。
【背景技術】
【０００２】
この部分に記述された内容は単に本発明についての背景情報を提供するだけ、従来技術を構成するものではない。
【０００３】
音響機器、例えばイヤホン又はスピーカーは、マグネット及びヨークからなった磁気回路においてマグネットとヨーク間のギャップ（Ｇａｐ）にボイスコイルを位置させ、ボイスコイルに電気信号が印加されれば、ボイスコイルが磁気回路との相互作用によって振動しながら音を発生させる装置である。
【０００４】
図１は従来の音響機器の断面図を例示した図である。
【０００５】
図１に示したように、従来の音響機器は、ハウジング１００、ＰＣＢ回路１１０、ヨーク１２０、マグネット１３０、プレート１４０、固定リング１５０、振動板１６０、ボイスコイル１７０及び押圧部１８０を含む。
【０００６】
ハウジング１００は音響機器の外観を構成する。ハウジング１００は、ＰＣＢ回路１１０、ヨーク１２０、マグネット１３０、プレート１４０、固定リング１５０、振動板１６０、ボイスコイル１７０及び押圧部１８０を外部の衝撃から保護し、美観を向上させて消費者の購買欲をそそる。
【０００７】
ＰＣＢ回路１１０はオーディオ装置の電気信号をボイスコイル１７０に印加する。ＰＣＢ回路１１０は音響機器のデザインによってハウジング１００の内部に位置することも、ハウジング１００の外部に位置することもできる。
【０００８】
マグネット１３０は磁性体であり、磁気力を発生させる。マグネット１３０は永久磁石であることが好ましい。マグネット１３０はリング状に形成されることも、円柱状に形成されることもできる。マグネット１３０がリング状に形成されたものを外字形と言い、マグネット１３０が円柱状に形成されたものを内字形と言う。
【０００９】
ヨーク１２０はマグネット１３０で発生した磁気力を集中させて高密度の均一な磁気力を得ることができるようにする。ヨーク１２０はマグネット１３０と一定の間隔を置いて離れている。
【００１０】
マグネット１３０がリング状の外字形の場合、ヨーク１２０はマグネット１３０の中央に円柱状に形成されることができる。マグネット１３０が円柱状の内字形の場合、ヨーク１２０はマグネット１３０を取り囲むリング状に形成されることができる。
【００１１】
ボイスコイル１７０はマグネット１３０とヨーク１２０の間に位置する。ボイスコイル１７０はマグネット１３０で発生する磁気力が透過する。ボイスコイル１７０を磁気力が透過している状態でボイスコイル１７０に音響情報を有する電気信号が印加されれば、ボイスコイル１７０が磁気回路との電磁気作用によって振動する。
【００１２】
振動板１６０はボイスコイル１７０と一部が付いており、よってボイスコイル１７０が振動すれば振動板１６０も一緒に振動して音を発生させる。
【００１３】
プレート１４０はマグネット１３０上に位置し、固定リング１５０及び振動板１６０を固定するための骨組の役割をする。
【００１４】
固定リング１５０はプレート１４０の上端に付いており、押圧部１８０はハウジング１００の下端に付いている。固定リング１５０と押圧部１８０は両方向から振動板１６０の一部を押し付けて固定させる。具体的に、振動板１６０の縁部（以下、‘固定部’と言う）が固定リング１５０と押圧部１８０の間に挟まって固定され、振動板１６０の残り部（以下、‘振動部’）が振動しながら音を発生させる。
【００１５】
振動が発生して音を出力しているときに振動板１６０が外れないようにするためには、固定部の面積が十分ではなければならない。例えば、振動板１６０の縁部のうち０．３５ｍｍ程度を固定リング１５０と押圧部１８０の間に挟んで押圧すれば振動板１６０が外れないようにすることができる。ただ、固定部の面積があまりにも広ければ、振動して音を出力する振動部の面積が相対的に減少して音圧が減少する問題がある。
【００１６】
振動板１６０の縁部を堅たく固定しながらも振動板１６０の振動部の面積を増やすための多様な技術が開示されている。これに関連した文献として、韓国実用新案登録第２０−０４３２５９６号（考案の名称：スピーカー、公開：２００６．１１．２８）がある。
【００１７】
同文献は‘マグネット及びマグネットプレートを順次収容するヨークと、前記マグネット及びマグネットプレートで発生した磁気力によって振動し、外部のＰＣＢターミナルとリード線を介して連結されたコイルと、前記コイルと一体に結合され、コイルの振動によって一緒に振動して音を再生する振動板とからなるスピーカーにおいて、前記ヨークは、一端部は円周に沿って外壁が形成され、前記外壁によってマグネット及びマグネットプレートを順次収容するための収容空間が形成され、前記外壁の内周縁には、上方に開放するとともに一定の高さ及び幅を有する段部が切断形成されることによって、前記段部によって振動板の両端が上下に振動することができる空間をもっと提供することを特徴とするスピーカー’を開示している。
【００１８】
同文献に開示されたスピーカーは、ヨークの構造を変更して振動板の振動部の面積を増やしている。しかし、同文献によれば、ヨークの構造を変更する成形工程が要求されるだけでなく、ヨークの構造変更が音響性能に悪影響を及ぼすこともあるという問題がある。
【先行技術文献】
【特許文献】
【００１９】
【特許文献１】韓国実用新案登録第２０−０４３２５９６号明細書
【発明の概要】
【発明が解決しようとする課題】
【００２０】
本発明が解決しようとする技術的課題は、音圧が向上した音響機器を提供することである。
【００２１】
また、接着剤なしに組み立てることができる音響機器を提供することである。
【００２２】
また、低周波数帯域の出力が向上した音響機器を提供することである。
【００２３】
本発明が解決しようとする技術的課題は前述した技術的課題に限定されず、言及しなかった他の技術的課題が下記の記載から通常の技術者によって明らかに導出可能であろう。
【課題を解決するための手段】
【００２４】
本発明の一実施例によれば、音響機器の外観を構成するハウジングと、磁気力を発生させるマグネットと、磁気力を集中させるヨークと、音響情報を有する電気信号が印加されれば磁気力によって振動するボイスコイルと、ボイスコイルに密着しており、ボイスコイルの振動によって振動して音を発生させる振動板と、振動板とマグネットの間に位置するプレートと、プレートの上側に位置して振動板の一部を固定させる固定リングとを含み、固定リングの断面は幅より高さが大きい直四角形である音響機器を提供する。
【発明の効果】
【００２５】
本発明の一実施例による音響機器は、振動板の振動部の面積を増やすことによって音圧を向上させることができる。
【００２６】
また、カーリング工法を用いて接着剤なしに組み立てることができる。
【００２７】
また、共振制御のために内部体積を増加させることによって低周波数帯域の出力を向上させることができる。
【図面の簡単な説明】
【００２８】
【図１】従来の音響機器の断面図を例示した図である。
【図２】本発明の第１実施例による音響機器の断面図を例示した図である。
【図３】本発明の第１実施例による音響機器の結合状態を例示した図である。
【図４】図３に例示した結合状態の断面を例示した図である。
【図５】本発明の第１実施例による音響機器の音響性能実験結果を例示したグラフである。
【図６】従来の音響機器において各部の固定方法を例示した図である。
【図７】本発明の第１実施例による音響機器において各部の固定方法を例示した図である。
【図８】本発明の第１実施例による音響機器の内部体積を例示した図である。
【図９ａ】本発明の第２実施例による音響機器の内部体積を例示した図である。
【図９ｂ】本発明の第２実施例による音響機器の内部体積を例示した図である。
【図１０】本発明の第２実施例による音響機器の音響性能実験結果を例示したグラフである。
【発明を実施するための形態】
【００２９】
以下、本発明の一実施例を例示的な図面に基づいて詳細に説明する。各図の構成要素に参照符号を付けるに際して、同じ構成要素に対しては、たとえ相異なる図に表示されていても、できるだけ同じ符号を使っていることに留意しなければならない。また、本発明の一実施例の説明において、関連した公知の構成又は機能についての具体的な説明が本発明の要旨をあいまいにすることができると判断される場合にはそれについての詳細な説明を省略する。
【００３０】
本発明の一実施例の構成要素の説明において、第１、第２、ｉ）、ｉｉ）、ａ）、ｂ）などの符号を使うことができる。このような符号はその構成要素を他の構成要素と区別するためのものであるだけ、その符号によって該当構成要素の本質、順番、順序などが限定されるものではない。本明細書で、ある部分がある構成要素を‘含む’又は‘備える’と言うとき、これは明示的に反対する記載がない限り、該当部分が他の構成要素を付け加えることを排除するものではなく、他の構成要素をさらに含むことができることを意味する。
【００３１】
１．第１実施例
図２は本発明の第１実施例による音響機器の断面を例示した図である。
【００３２】
図２に示したように、本発明の第１実施例による音響機器は、ハウジング２００、ＰＣＢ回路２１０、ヨーク２２０、マグネット２３０、プレート２４０、固定リング２５０、振動板２６０及びボイスコイル２７０を含む。
【００３３】
ハウジング２００は音響機器の外観を構成する。ハウジング２００はＰＣＢ回路２１０、ヨーク２２０、マグネット２３０、プレート２４０、固定リング２５０、振動板２６０、ボイスコイル２７０及び押圧部を外部の衝撃から保護し、美観を向上させて消費者の購買欲をそそる。さらに、本発明の第１実施例によるハウジング２００は組立時に接着剤の使用を最少化するためのカーリング構造を持っている。これについては後で詳細に説明する。
【００３４】
ＰＣＢ回路２１０はオーディオ装置の電気信号をボイスコイル２７０に印加する。ＰＣＢ回路２１０は音響機器のデザインによってハウジング２００の内部に位置することも、ハウジング２００の外部に位置することもできる。本発明の第１実施例によるＰＣＢ回路２１０はヨーク２２０の下端に位置するものとして例示されているが、ＰＣＢ回路２１０はヨーク２２０の下端以外に多様な位置に配置されることができる。ＰＣＢ回路２１０の構造及び位置は本発明の主な特徴ではないので、詳細な説明は省略する。
【００３５】
マグネット２３０は磁性体であり、磁気力を発生させる。マグネット２３０は永久磁石であることが好ましい。マグネット２３０はリング状であっても、円柱状であってもよい。
【００３６】
以下、便宜上、本明細書ではマグネット２３０がリング状の外字形音響機器を中心に説明する。しかし、内字形音響機器にも本発明の技術的思想が適用可能であることは言うまでもない。
【００３７】
ヨーク２２０はマグネット２３０で発生した磁気力を集中させて高密度の均一な磁気力を得ることができるようにする。ヨーク２２０は鉄（Ｆｅ）などの常磁性体からなっている。常磁性体とは、磁場内に入れれば磁場方向に弱く磁化し、磁場が除去されれば磁化しない物質である。
【００３８】
ヨーク２２０はマグネット２３０と一定の間隔を置いて離れている。マグネット２３０がリング状の場合、ヨーク２２０はリングの中央に円柱状に形成されることができる。マグネット２３０が円柱状の場合、ヨーク２２０はマグネット２３０を取り囲むリング状に形成されることができる。
【００３９】
本発明の第１実施例による音響機器は、ヨーク２２０が円柱状、マグネット２３０はヨーク２２０を取り囲むリング状、ボイスコイル２７０はマグネット２３０の内側に配置された構造の音響機器を例示している。
【００４０】
しかし、マグネット２３０が円柱状、ヨーク２２０はマグネット２３０を取り囲むリング状、ボイスコイル２７０はマグネット２３０の外側に配置された構造の音響機器にも本発明の技術的思想が同様に適用可能である。
【００４１】
ボイスコイル２７０はマグネット２３０とヨーク２２０の間に位置する。ボイスコイル２７０はマグネット２３０で発生する磁気力が透過する。ボイスコイル２７０を磁気力が透過している状態でボイスコイル２７０に音響情報を有する電気信号が印加されれば、ボイスコイル２７０が磁気回路との電磁気作用によって振動する。
【００４２】
振動板２６０は、ボイスコイル２７０と一部が付いており、よってボイスコイル２７０が振動すれば、振動板２６０も一緒に振動して音を発生させる。振動板２６０とボイスコイル２７０が付いている部分は本発明の主な特徴ではないので、詳細な説明は省略する。
【００４３】
プレート２４０はマグネット２３０上に位置して固定リング２５０及び振動板２６０を固定するための骨組の役割をする。
【００４４】
固定リング２５０はプレート２４０の上端に付いている。本発明の第１実施例による音響機器は、固定リング２５０の形状が従来の音響機器と違っている。図１に例示したように、従来の音響機器は固定リング２５０の断面が正方形であるが、本発明の第１実施例による音響機器は固定リング２５０の断面が幅より高さが大きい長方形である。
【００４５】
図１に例示した従来の音響機器は、固定リング１５０の高さが低いから、別途の押圧部１８０を備えることで、振動板１６０の下側では固定リング１５０が振動板１６０を支え、振動板１６０の上側では押圧部１８０が振動板１６０を押して振動板１６０の縁部を固定させる構造となっている。
【００４６】
しかし、本発明の第１実施例による音響機器は、固定リング２５０の断面が長方形であり、押圧部なしに固定リング２５０が振動板２６０を支え、振動板２６０の上側ではハウジング２００が振動板２６０を押して振動板２６０の縁部を固定させる構造となっている。
【００４７】
前述したように、振動の発生時に振動板２６０が外れないようにするためには、振動板２６０のうち固定された部分の面積が十分ではなければならない。本発明の第１実施例による音響機器は、固定リング２５０の断面が幅より高さが大きい長方形であるので、振動板２６０のうち固定リング２５０の上端面とハウジング２００の間に挟まって固定される部分の面積が従来の音響機器より小さい。したがって、振動板２６０の追加部分を固定リング２５０の内側面に接着して追加的な固定面積を確保する必要がある。
【００４８】
振動板２６０の追加部分と固定リング２５０の内側面は接着剤で接着させることができる。接着剤などで振動板２６０の追加部分を固定リング２５０の内側面に固定させて十分な固定面積を確保することにより、振動の発生時に振動衝撃を吸収し、振動板２６０が外れないようにすることができる。
【００４９】
まとめると、本発明の第１実施例による音響機器は、振動板２６０の一部が固定リング２５０の上端面に密着し、振動板２６０の他の一部が固定リング２５０の内側面に密着することを特徴とする。具体的に、振動板２６０の一部が固定リング２５０の上端面の全部に密着し、振動板２６０の他の一部が固定リング２５０の内側面の一部に密着するようにすることができる。
【００５０】
密着方法において、振動板２６０の一部を固定リング２５０の上端面とハウジング２００の間に挟んで押圧することで固定させることができる。また、振動板２６０の一部を固定リング２５０の内側面に接着剤で接着して固定させることができる。
【００５１】
図３は本発明の第１実施例による音響機器の結合状態を例示した図、図４は図３に例示した結合状態の断面を例示した図である。
【００５２】
図３及び図４に示したように、本発明の第１実施例による音響機器は、ハウジング２００、振動板２６０、固定リング２５０、ボイスコイル２７０、プレート２４０、マグネット２３０、ヨーク２２０及びＰＣＢ回路２１０の順に組み立てられる。
【００５３】
組立過程で振動板２６０の縁部の一部がハウジング２００と固定リング２５０の間に挟まって固定されるようにする。
【００５４】
図５は本発明の第１実施例による音響機器の音響性能実験結果を例示したグラフである。
【００５５】
図５のグラフで、ｘ軸は周波数の大きさを示し、ｙ軸は出力の強度を示す。図５で、青線は従来の音響機器の音響性能実験結果を示すものであり、赤線は本発明の第１実施例による音響機器の音響性能実験結果を示したものである。
【００５６】
図５に示したように、本発明の第１実施例による音響機器は、振動板２６０のうち振動する部分の面積が増えることによって全周波数帯域で出力が向上したことが分かる。
【００５７】
図６は従来の音響機器の各部の固定方法を例示した図である。
【００５８】
図６に示したように、従来の音響機器は接着剤で各部を接着させて固定させる。
【００５９】
具体的に、従来の音響機器は、ヨーク１２０とマグネット１３０を接着剤で接着し（１９１ａ）、マグネット１３０とプレート１４０を接着剤で接着し（１９１ｂ）、プレート１４０と固定リング１５０を接着剤で接着し（１９１ｃ）、固定リング１５０と振動板１６０、及び振動板１６０と押圧部を接着剤で接着する（１９１ｄ）。
【００６０】
従来の音響機器は、接着剤で各部を固定させるため、製作工程が複雑であり、小さい面積に接着剤を塗って各部を接着させる過程で接着剤が溢れて不良率が高くなる問題がある。特に、固定リング１５０と振動板１６０及び振動板１６０と押圧部を接着するときは振動板１６０の縁部の狭い部分に接着剤を塗らなければならないから、接着剤が易しく溢れて振動板１６０を汚染させ、その結果、音響性能が低下する問題があった。
【００６１】
図７は本発明の第１実施例による音響機器の各部の固定方法を例示した図である。
【００６２】
図７に示したように、本発明の第１実施例による音響機器は、ハウジング２００の末端をカーリング（Ｃｕｒｌｉｎｇ、丸く巻くこと）させて各部を固定させる。具体的に、本発明の第１実施例による音響機器は、ヨーク２２０、マグネット２３０、プレート２４０、固定リング２５０及び振動板２６０を突き合わせた状態で、ハウジング２００の末端をカーリングさせることで、ヨーク２２０、マグネット２３０、プレート２４０、固定リング２５０及び振動板２６０を両方向から押圧して、接着剤なしに各部を固定させることができる。
【００６３】
本発明の第１実施例による音響機器は、カーリング工法を用いて各部を固定させるので、シーリング（ｓｅａｌｉｎｇ）及び接着ボンドを使わなくても各部の固定が可能である。その結果、接着剤の使用による工程の複雑性及び接着剤の使用による不良発生率を減らすことができ、総収率も優秀になる。
【００６４】
一方、前述したように、振動の発生時に振動板２６０が外れないようにするためには、振動板２６０のうち固定された部分の面積が十分ではなければならない。本発明の第１実施例による音響機器は、固定リング２５０の断面が幅より高さが大きい長方形であるので、振動板２６０のうち固定リング２５０の上端面とハウジング２００の間に挟まって固定される部分の面積が小さい。したがって、振動板２６０の追加部分を固定リング２５０の内側面に固定させて十分な固定面積を確保する必要があるが、振動板２６０の追加部分と固定リング２５０の内側面はハウジング２００の末端をカーリングしても固定されないので、振動板２６０の追加部分と固定リング２５０の内側面は接着剤で固定させることが好ましい。
【００６５】
２．第２実施例
図８は本発明の第１実施例による音響機器の内部体積を例示した図である。
【００６６】
本発明の第１実施例による音響機器は、振動板２６０、プレート２４０、マグネット２３０及びヨーク２２０の間に空間２９３ａを持っている。振動板２６０の内側に形成された空間２９３ａでは共振が発生し、空間の大きさによって特定の周波数帯域で良い音色の共振が発生する。
【００６７】
振動板２６０の内側に形成された空間が狭ければ相対的に高周波数帯域で共振が発生して高周波数帯域の出力が強化し、振動板２６０の内側に形成された空間が広ければ相対的に低周波数帯域で共振が発生して低周波数帯域の出力が強化する。人の音声、歌声などの重要な音情報は一般的に低周波数帯域に集中しているので、低周波数帯域の出力を高める必要があり、そのために振動板２６０の内側に形成された空間を広げる必要がある。
【００６８】
図９ａ及び図９ｂは本発明の第２実施例による音響機器の内部体積を例示した図である。
【００６９】
音響機器は、基本的に振動板２６０の下側に基本空間２９３ａが存在する。図９ａに示したように、本発明の第２実施例による音響機器は、マグネット２３０とハウジング２００の間に又はヨーク２２０とハウジング２００の間に他の空間２９３ｂがさらに形成されることができる。また、プレート２４０に追加空間２９３ｂに通じる通路が形成されることができる。
【００７０】
本発明の第２実施例による音響機器は、マグネット２３０とハウジング２００の間に又はヨーク２２０とハウジング２００の間に追加空間２９３ｂが形成されることができる。また、プレート２４０に追加空間２９３ｂに通じる通路が形成されることができる。
【００７１】
図９ｂに示したように、内字形の場合には、基本空間３９３ａの他に、ヨーク３２０とハウジング３００の間に追加空間３９３ｂが形成されることができる。また、プレート３４０に追加空間３９３ｂに通じる通路が形成されることができる。
【００７２】
以上の構造により、本発明の第２実施例による音響機器は、基本空間２９３ａ、３９３ａと追加空間２９３ｂ、３９３ｂが連結され、その結果、音響機器の総内部体積が増える。
【００７３】
本発明の第２実施例による音響機器は、追加空間２９３ｂ、３９３ｂの確保によって振動板２６０、３６０の内側に形成された内部体積が増加するので、本発明の第１実施例による音響機器より低周波数帯域で共振が発生し、低周波数帯域の出力が強化することができる。
【００７４】
図１０は本発明の第２実施例による音響機器の音響性能実験結果を例示したグラフである。
【００７５】
図１０のグラフで、ｘ軸は周波数の大きさを示し、ｙ軸は出力の強度を示す。図１０で、青線は本発明の第１実施例による音響機器の音響性能実験結果を例示したものであり、赤線は本発明の第２実施例による音響性能実験結果を例示したものである。
【００７６】
図１０に示したように、本発明の第２実施例による音響機器は、共振制御のための追加空間の確保により、本発明の第１実施例による音響機器より低周波数帯域での出力が強化したことが分かる。
【００７７】
本実施例は本発明の技術的思想を例示的に説明したものに過ぎなく、本発明が属する技術分野で通常の知識を有する者であれば本発明の本質的な特性を逸脱しない範囲内で本実施例の多様な修正及び変形が可能であろう。
【００７８】
本実施例は本発明の技術的思想を限定するためのものではなくて説明するためのものである。したがって、本実施例によって本発明の権利範囲が限定されるものではない。本発明の保護範囲は請求範囲によって解釈されなければならなく、それと同等であるか均等であると認められる全ての技術的思想は本発明の権利範囲に属するものと解釈されなければならない。
【符号の説明】
【００７９】
１００    ハウジング
１１０    ＰＣＢ回路
１２０    ヨーク
１３０    マグネット
１４０    プレート
１５０    固定リング
１６０    振動板
１７０    ボイスコイル
１８０    押圧部
２００    ハウジング
２１０    ＰＣＢ回路
２２０    ヨーク
２３０    マグネット
２４０    プレート
２５０    固定リング
２６０    振動板
２７０    ボイスコイル
【図１】
2019134411.tif 000003
【図２】
2019134411.tif 000004
【図３】
2019134411.tif 000005
【図４】
2019134411.tif 000006
【図５】
2019134411.tif 000007
【図６】
2019134411.tif 000008
【図７】
2019134411.tif 000009
【図８】
2019134411.tif 000010
【図９ａ】
2019134411.tif 000011
【図９ｂ】
2019134411.tif 000012
【図１０】
2019134411.tif 000013